(57)【要約】【課題】ノートパソコンをベッド上もしくは、床の上で横たわった状態で使用する際に、ノートパソコンを載置して任意の位置及び任意の角度にノートパソコンを配置することができるノートパソコン支持装置を提供する。【解決手段】ノートパソコンの載置台と第１アーム及び第２アームと支持部と基部からなり、前記載置台はノートパソコン脱落防止の固定機能を備え、前記第１アーム及び第２アームは回動可能かつ任意の位置で固定可能な機能を備えて構成されるノートパソコン支持装置。【選択図】図１
2010240086.tif 000002
【特許請求の範囲】
【請求項１】
ノートパソコンや載置器機などを載置出来る載置部と、円板状の基部の外縁より棒状の支持部が上方に立ち上がりクランク状に折れ曲がって基部の中心上に伸びた支持部と、前記支持部の上端部に設けられた旋回支軸上に旋回可能で、かつ上下方向に回動可能に取り付けられ、平行リンクを持つ第１アームと、前記第１アームの先端に回動可能に設けられ、平行リンクを持つ第２のアームと、前記第１アームが旋回支軸をこえて他端側に伸びて取り付けられたカウンターウェイトとを備え、載置部に載置器機を載せて第１アーム及び第２アームを伸縮させた状態で旋回支軸を中心としたカウンターウェイトとのバランスが少しカウンターウェイト側に重くなるように構成したことを特徴とするノートパソコン支持装置。
【請求項２】
前記カウンターウェイトが第１アームのカウンターウェイト側先端部を中心として、てこの原理によってカウンターウェイトにかかる力を第２アームに並行リンクで伝えて、第２アームの重力方向の力を軽減することを特徴とする請求項１に記載のノートパソコン支持装置。
【請求項３】
前記第１アーム及び第２アームの回動を固定する操作ノブと、前記旋回支軸の旋回動作を固定する操作ノブと、載置台固定ノブとを載置台の周辺に装備し、前記各ノブによって、固定機能を操作できることを特徴とする請求項１又は２のいずれかに記載のノートパソコン支持装置。
【請求項４】
前記基部の外縁から上方へ伸びた支持部に長さが異なった交換部材を脱着して伸縮可能に構成した請求項１〜３のいずれか１項に記載のノートパソコン支持装置。
【発明の詳細な説明】
【技術分野】
【０００１】
本発明は、ノートパソコンをベッド上もしくは、横たわった状態で使用する際に、ノートパソコンを載置して使用されるノートパソコン支持装置に関する。
【背景技術】
【０００２】
近年において、めまぐるしいパソコンに係る技術の発展により、パソコンは小型化、高性能化され、最近は、省スペースで操作でき、かつ持ち運びができるノート型のパソコン（ノートパソコン）が、個人用だけでなく、業務用においても、広く採用され我々の必需品となった。現在では、ノートパソコンなしでは、事務処理はできず、多用途にわたって必要不可欠なものとなった。そうした中で、ノートパソコンを使用する時間が多くなり、疲労を軽減するために、ベッド上もしくは、横たわった状態でノートパソコンを使用するという要望が増えてきた。また、病院などのベッドにおいても、横になった姿勢でノートパソコンまたはディスプレイなどをセットして、見たいという要望が増えてきた。
【０００３】
この様な問題を解決するために、様々な装置の開発がなされている。たとえば特開２００５−１５７９９３が開示されている。このノートパソコンスタンドは、門型の支持台に、ノートパソコンを垂直状態に立てて保管できるものであり、横たわった人の上を門型の支持台がまたぐような構造である。また片持ち梁タイプのノートパソコンスタンドがベッド用に開発されている。
【特許文献１】特開２００５−１５７９９３
【発明の開示】
【発明が解決しようとする課題】
【０００４】
しかし、上記のようなスタンドは、使用者が横たわった状態でセットすることは出来ず、誰か他の人にセットしてもらうしかなかった。また、片持ち梁タイプでは、バランスウェイトがないため、重心の位置が、ノートパソコンの中心の位置にあるため、スタンドの底部の大きさがノートパソコンの中心位置より大きな底部のスタンドが必要であった。そのため、ベッドにおいてはベッドの下が空間であるため使用可能であるが、そうでない場合においては、スタンドの底部の上に横たわった状態でなければ、使用できなかった。
【課題を解決するための手段】
【０００５】
請求項１記載のノートパソコン支持装置は、ノートパソコンや載置器機などを載置出来る載置部と、円板状の基部の外縁より棒状の支持部が上方に立ち上がりクランク状に折れ曲がって基部の中心上に伸びた支持部と、前記支持部の上端部に設けられた旋回支軸上に旋回可能で、かつ上下方向に回動可能に取り付けられ、平行リンクを持つ第１アームと、前記第１アームの先端に回動可能に設けられ、平行リンクを持つ第２のアームと、前記第１アームが旋回支軸をこえて他端側に伸びて取り付けられたカウンターウェイトとを備え、載置部に載置器機を載せて第１アーム及び第２アームを伸縮させた状態で旋回支軸を中心としたカウンターウェイトとのバランスが少しカウンターウェイト側に重くなるように構成した。
【０００６】
請求項２記載のノートパソコン支持装置は、前記カウンターウェイトが第１アームのカウンターウェイト側先端部を中心として、てこの原理によってカウンターウェイトにかかる力を第２アームに並行リンクで伝えて、第２アームの重力方向の力を軽減するように構成した。
【０００７】
請求項３記載のノートパソコン支持装置は、前記第１アーム及び第２アームの回動を固定する操作ノブと、前記旋回支軸の旋回動作を固定する操作ノブと、載置台固定ノブとを載置台の周辺に装備し、前記各ノブによって、固定機能を操作できることを特徴とする構成とした。
【０００８】
請求項４記載のノートパソコン支持装置は、前記基部の外縁から上方へ伸びた支持部に長さが異なった交換部材を脱着して伸縮可能に構成した。
【発明の効果】
【０００９】
本発明のノートパソコン支持装置を使用すれば、ベッド，畳など横になった状態でも、また、立った状態,座った状態でも使用できる。重心の位置がカウンターウェイト側にあるのでキーボードの操作、もしくは取っ手を持って位置調整のために引いたり押したりする動作においても安定しているので、倒れるという不安感がなく、載置台の横に旋回、上下動に対する固定装置があるので、セットをするにも早く楽にできる。
【発明を実施するための最良の形態】
【００１０】
本発明の実施の形態を図に基づいて説明する。図１は本発明のノートパソコン支持装置の斜視図である。２０は第１アーム、２１は第１アームの平行リンク、３０は第２アーム、３１は第２アームの平行リンク、４０は平行リンク、５１は取っ手、６０は支持部、６１は伸縮交換部、７０は基部、８０はアーム旋回固定部、８１アーム上下固定部、８２載置台固定部、９０はノートパソコンである。
【００１１】
本発明のノートパソコン支持装置１０は基部７０の外縁から支持部６０が伸びてその上部の旋回支軸２３に旋回可能に第１アーム２０と第２アーム３０が形成されている。第１アーム２０及び第２アーム３０は平行リンク機能を備えており、旋回支軸２３と第２アーム３０の平行リンク３２は常に平行な状態にある。第２アーム３０の平行リンク３２にはノートパソコン９０を支持する載置台５０が取り付けられている。第１アーム２０と第２アーム３０は、折る伸ばす動作によって載置台５０を垂直方向への回動を可能としている。また、旋回支軸２３によって第１アーム２０と第２アーム３０は、旋回を可能としている。載置台５０とノートパソコン９０はボールジョイントで接続されており、回動可能にかつ任意の位置で固定可能に構成されている。カウンターウェイト４２は、旋回支軸２３にほぼ重心位置を持ってくるために，第１アームの旋回支軸の反対側に平行リンクを介して取り付けられている。
【００１２】
図２は、本発明のノートパソコン支持装置のアーム構造図１である。Fは、モーメントを表すもので支点からの距離と重力をかけたものである。ここでGは重力加速度である。図２において、平行リンク３２にノートパソコン９０が取り付けられており、重量は２．５キログラムとする。また、平行リンク４１の先端にカウンターウェイト４２が７．５キログラムの重量で取り付けられている。図の中で、折りたたまれた状態では、アーム側は、０．７５Gでカウンターウェイト側は０．９７５Gである。またアームを伸ばした状態ではアーム側は２．１Gでカウンターウェイト側は２．４４Gである。以上の結果では、カウンターウェイト側が両方の場合でモーメントが大きい。これはノートパソコン９０を載置台５０にセットして取っ手５１を持って任意の位置に移動する際にノートパソコン側に余分な力がかかるので、カウンターウェイト側が少し大きなモーメント設定となっている。また、カウンターウェイト側のモーメントが大きいので安定感がある。本発明のノートパソコン支持装置では、ノートパソコンの３倍程度のカウンターウェイトが、好ましい。
【００１３】
図３は、本発明のノートパソコン支持装置のアーム構造図２である。第２アーム３０とカウンターウェイトアーム４１は平行リンク構造になっており、支軸４３を支点としてカウンターウェイト４２の重量が第２アーム３０を持ち上げるように作用している。ここでFはモーメントで、Gは重力加速度である。図３の中でF５が０．４５Gの場合F６は０．７４Gである。またF７が０．８６Gの場合F８は１．６Gである。この二つの場合ともに、F６、F８の値がF5、F７の数値の倍ほどの数値になっている。この状態を実際の装置で実験してみると、第２アーム３０が上がった状態でノートパソコン９０を離してみるとゆっくり降下する。これはカウンターウェイト４２の平行リンク構造が調度よい形で効果しているためである。これは使用者がノートパソコン４２をセットする際に手を放しても、ゆっくり降下するために安全である。
【００１４】
図４は、本発明のノートパソコン支持装置の固定ノブの斜視図である。図５は、本発明のノートパソコン支持装置のアーム旋回支軸の構造図である。図６は、本発明のノートパソコン支持装置のアーム上下固定軸の構造図である。アーム旋回固定ノブ８０は、ノートパソコン支持装置の旋回動作を固定するもので、アーム上下固定ノブ８１は、第１アーム及び第２アームともに上下の動作を固定するものである。また、載置台固定ノブ８２は載置台に置かれたノートパソコンを見やすい角度に調整して固定するものである。
【００１５】
アーム旋回固定ノブ８０は第２アーム３０の先端部分に取り付けられており、アーム旋回固定ノブ８０を右回転させると第２アーム３０に取り付けられた傘歯車によって、力の方向を９０度変えて第２アーム３０長手方向へワイヤーによって力を旋回支軸２３に伝達している。
伝達された力は、図５の構造図の中で支持部６０側に雌ネジが形成されており、ワイヤーが右回転することによって、ワイヤー先端部に取り付けられた雄ネジが支持部６０と旋回支軸２３を軸止する。この傘歯車及びワイヤーの伝達機構は、最近の建築関係の仕事では必須工具となったインパクトドライバーの応用工具であり、直接インパクトドライバーが使用できない細部などに使用するもので９０度方向を変えるものやワイヤーでいろいろな角度や変化に対応できるものがある。（伝達トルクは人間が力いっぱい締める以上に大きなトルクで締め付ける。頭がプラス及びマイナスのネジをインパクトドライバーで締め付けると、人間がドライバーで緩めようとしても緩まない。）アーム旋回固定ノブ８０を力いっぱい締めつけると力は先端部のネジに伝わり旋回支軸２３を軸止する。その際きつく締まりすぎて緩められなくなった場合は、取っ手５１を持って第２アーム全体を右方向に回してやると緩められる。
【００１６】
アーム上下固定ノブ８１は第２アーム平行リンク３１の先端に取り付けられており、アーム上下固定ノブ８１を右回転させると第２アーム平行リンク３１に取り付けられた傘歯車によって、力の方向を９０度変えて第２アーム並行リンク３１の長手方向へロッドによって力をアーム上下固定軸２４に伝達している。図６のアーム上下固定軸は第２アーム平行リンク３１を平行リンク２２と第１アーム平行リンク２１で挟んで、ネジで締め付ける構造となっている。よってアーム上下固定ノブ８１を右回転させると、アーム上下固定軸２４がしまって第１アーム平行リンク２１と第２アーム平行リンク３１が固定される。第１アーム２０及び第２アーム３０も平行リンク構造なので同様に固定される。
【００１７】
載置台固定ノブ８２は、載置台５０を支持するボールジョイントに取り付けられている。平行リンク３２より回動可能に水平方向に伸びてボールジョイントが形成されている。このボールジョイントは、載置台固定ノブ８２の隣に定圧ノブ８３が取り付けられている。この定圧ノブ８３は、載置台５０の上にノートパソコン９０をセットする際に、載置台５０がふらついて安定せずに取り付けにくいため、またセットした後で任意の方向へ向きを変える際に、もし手が離れた場合でも急に角度が変わったりしないために設置してある。構造は定圧ノブ８３の先端にスプリングが取り付けられており、定圧ノブ８３を締めるとスプリングがボールジョイントの受け枠を押圧して常に定圧をかけることができる。またノートパソコン９０の重量によっても定圧ノブを調整することが望ましい。
【００１８】
図７は本発明のノートパソコン支持装置の載置台の斜視図である。５１は取っ手、５２は固定ネジ、５３はスライドフックである。載置台５０の上に、ノートパソコン９０を開いて、開いた角度が載置台５０の角度に合うように左側のスライドフック５３に掛けて置く。それから右側のスライドフック５２をCDディスクの入れ替え口またはUSBポートをふさがないように左右にスライドさせて固定ネジでとめる。さらに前側のスライドフック５３、ディスプレイ上側のスライドフック５３を固定ネジでノートパソコン９０を固定する。
【００１９】
カウンターウェイト４２は金属製のプレートで形成されそのプレートの数量を増減することによって重量の増減を可能としている。本発明のノートパソコン支持装置においては、ノートパソコン９０を２．５キログラムでカウンターウェイトを７．５キログラムの設定で実験をしてみたが、ノートパソコン９０の重量は大小さまざまで、ほぼノートパソコン９０の３倍の重量を目安としてカウンターウェイト４２の重量として取り付け、あとはノートパソコン９０を取り付けて使用してみてカウンターウェイト４２の重量を増減するとよい。
【００２０】
支持部６０は棒状に形成され基部７０の外縁より上方に立ち上がりクランク状に折れ曲がり、旋回支軸２３に接続している。旋回支軸２３は重量が全てここにかかるので、基部７０の中心上に形成されている。カウンターウェイト４２の旋回半径と基部７０の大きさを同程度にすることによって壁際などの場所で使用する際、カウンターウェイトが壁に当たって旋回出来ないということをさけている。また、伸縮交換部６１は床の上でも、ベッドの上でも使用できるように長短いろいろな長さの部材を使用できるものである。
【図面の簡単な説明】
【００２１】
【図１】本発明のノートパソコン支持装置の斜視図である。
【図２】本発明のノートパソコン支持装置のアーム構造図１である。
【図３】本発明のノートパソコン支持装置のアーム構造図２である。
【図４】本発明のノートパソコン支持装置の固定ノブの斜視図である。
【図５】本発明のノートパソコン支持装置のアーム旋回支軸の構造図である。
【図６】本発明のノートパソコン支持装置のアーム上下固定軸の構造図である。
【図７】本発明のノートパソコン支持装置の載置台の斜視図である。
【符号の説明】
【００２２】
１０    ノートパソコン支持装置
２０    第１アーム
２１    第１アームの平行リンク
２４    上下固定軸
３０    第２アーム
３１    第２アームの平行リンク    
４０    平行リンク
４１    カウンターウェイトアーム
４２    カウンターウェイト    
４３    支軸
５０    載置台    
５１    取っ手
５２    固定ネジ
５３    スライドフック
６０    支持部
６１    伸縮交換部    
７０    基部    
８０    アーム旋回固定ノブ
８１    アーム上下固定ノブ
８２    載置台固定ノブ    
８３    定圧ノブ
９０    ノートパソコン
【図１】
2010240086.tif 000003
【図２】
2010240086.tif 000004
【図３】
2010240086.tif 000005
【図４】
2010240086.tif 000006
【図５】
2010240086.tif 000007
【図６】
2010240086.tif 000008
【図７】
2010240086.tif 000009